(57)【要約】    【課題】    ネットワーク上に接続された複数の異なる装置が有する機能を組み合わせて使用し、大量の原稿のコピー処理を効率よく行う。    【解決手段】    スキャナ装置（２）及びプリンタ装置（６、７）がネットワーク（１）上に接続されて成るネットワークシステムにおいて、スキャナ装置が、複数頁の原稿画像を順次読み取り、その読み取った画像データを、複数頁の原稿画像の読み取り動作の完了を待つことなくプリンタ装置に対して頁単位で転送する構成とする。【選択図】    図２
2005184379.tif 000002
【特許請求の範囲】
【請求項１】
スキャナ装置及びプリンタ装置がネットワーク上に接続されて成るネットワークシステムにおいて、前記スキャナ装置が、複数頁の原稿画像を順次読み取り、その読み取った画像データを、前記複数頁の原稿画像の読み取り動作の完了を待つことなく前記プリンタ装置に対して頁単位で転送することを特徴とするリモートコピー処理方法。
【請求項２】
スキャナ装置、プリンタ装置及び情報処理装置がネットワーク上に接続されて成るネットワークシステムにおいて、前記スキャナ装置が、複数頁の原稿画像を順次読み取り、その読み取った画像データを、前記複数頁の原稿画像の読取り動作の完了を待つことなく前記情報処理装置に対して頁単位で転送する第１転送過程と、前記情報処理装置が、予め保持された出力設定に従って、前記スキャナ装置から転送された画像データを前記プリンタ装置に対して自動転送する第２転送過程とを有することを特徴とするリモートコピー処理方法。
【請求項３】
前記スキャナ装置は、カラー読取機能を有し、前記プリンタ装置は、カラー記録機能を有し、前記第１転送過程は、前記スキャナ装置が、読み取ったカラー画像データを転送する過程を含み、前記第２転送過程は、前記情報処理装置が、前記スキャナ装置から転送されたカラー画像データを、カラー記録機能を有する前記プリンタ装置に対して自動転送する過程を含むことを特徴とする請求項２に記載のリモートコピー処理方法。
【請求項４】
前記プリンタ装置は、両面記録機能を有し、前記第２転送過程は、前記情報処理装置が、前記スキャナ装置から転送された画像データを、両面記録機能を有する前記プリンタ装置に対して自動転送する過程を含むことを特徴とする請求項２に記載のリモートコピー処理方法。
【請求項５】
前記情報処理装置の予め保持された出力設定は、所定の頁数の画像データを１頁分の画像データとして集約して集約画像データを生成する処理に関するものであり、前記第２転送過程は、前記情報処理装置が、前記スキャナ装置から転送された画像データから集約画像データを生成し、その集約画像データを前記プリンタ装置に対して自動転送する過程を含むことを特徴とする請求項２に記載のリモートコピー処理方法。
【請求項６】
請求項２から５の何れかに記載のリモートコピー処理方法を実現するために前記情報処理装置に格納される制御プログラムであって、前記情報処理装置において、スキャナ装置から転送される画像データの自動転送先となるプリンタ装置の出力動作を設定可能とすることを特徴とするリモートコピー処理制御プログラム。
【発明の詳細な説明】
【技術分野】
【０００１】
本発明は、ネットワークスキャナ、プリンタ等のデバイスを制御し、リモートコピー機能を実現するリモートコピー処理方法及びリモートコピー処理制御プログラムに関するものである。
【背景技術】
【０００２】
従来から、ユーザが所望する最適な装置の組合せにより、所望の機能を有する仮想マルチファンクション機をネットワーク上に構築する技術が知られている（特許文献１参照）。
【０００３】
上記技術では、複数のＰＣ、カラースキャナ、モノクロスキャナ、カラープリンタ、モノクロプリンタ、ＦＡＸサーバ、ＦＡＸ装置及びマルチファンクション制御装置がネットワークに収容されており、そのマルチファンクション制御装置が、ネットワーク上に仮想マルチファンクション機を構成するための装置の表示、その組合せ、その操作制御、動作制御などを行うとともに、各機器間でやり取りされるデータの変換を行い、また、各ＰＣに、仮想マルチファンクション機を構成するための装置組合せを設定するための操作画面を表示する。
【特許文献１】特開２００１−３４４１６２号公報
【発明の開示】
【発明が解決しようとする課題】
【０００４】
しかしながら、上記特許文献１に開示のような技術では、ユーザが所望の出力を得るための最適なスキャナやプリンタを選択して、複写機単体でのコピー処理と同等の機能を有するリモートコピー機能をネットワーク上において実現できるが、これは、スキャナ、プリンタ及びＰＣ（Personal Computer）等のデバイスのインタフェースを確立し、主としてデータの転送ルートを決定するものに過ぎなかった。
【０００５】
従って、スキャナ、プリンタ及びＰＣ等のデバイスを使用して多数頁の原稿のコピー処理を行う場合、各デバイスでの操作時間や処理時間の総和がコピー時間となって反映されるので、大量の原稿のコピー処理には時間がかかり、効率の良いコピー機能は実現できなかった。
【０００６】
本発明は、このような知見に基づいてなされたものであり、ネットワーク上に接続された複数の異なる装置が有する機能を組み合わせて使用して大量の原稿のコピー処理を行う場合でも、効率の良いコピー機能を実現し得るリモートコピー処理方法及びリモートコピー処理制御プログラムを提供することを目的とする。
【課題を解決するための手段】
【０００７】
上記目的を達成するために、本発明によるリモートコピー処理方法は、請求項１に示すとおり、スキャナ装置（２）及びプリンタ装置（６、７）がネットワーク（１）上に接続されて成るネットワークシステムにおいて、スキャナ装置が、複数頁の原稿画像を順次読み取り、その読み取った画像データを、複数頁の原稿画像の読み取り動作の完了を待つことなくプリンタ装置に対して頁単位で転送する構成とする。これによると、多数頁の原稿画像のコピー処理をする場合においても、スキャナ装置は、原稿画像の全ての読み取り動作の完了を待つことなく、既に読み取った画像データをプリンタ装置へ転送するので、高速かつ効率的なコピー機能を実現できる。
【０００８】
また、本発明によるリモートコピー処理方法は、請求項２に示すとおり、スキャナ装置（２）、プリンタ装置（６、７）及び情報処理装置（３）がネットワーク上に接続されて成るネットワークシステムにおいて、スキャナ装置が、複数頁の原稿画像を順次読み取り、その読み取った画像データを、複数頁の原稿画像の読み取り動作の完了を待つことなく情報処理装置に対して頁単位で転送する第１転送過程と、情報処理装置が、予め保持された出力設定に従って、スキャナ装置から転送された画像データをプリンタ装置に対して自動転送する第２転送過程とを有する構成とする。これによると、多数頁の原稿画像のコピー処理をする場合においても、スキャナ装置は、原稿画像の全ての読み取り動作の完了を待つことなく、既に読み取った画像データを情報処理装置に転送するので、高速かつ効率的なコピー機能を実現できる。
【０００９】
また、請求項３に示すとおり、スキャナ装置は、カラー読取機能を有し、プリンタ装置は、カラー記録機能を有し、第１転送過程は、スキャナ装置が、読み取ったカラー画像データを転送する過程を含み、第２転送過程は、情報処理装置が、スキャナ装置から転送されたカラー画像データを、カラー記録機能を有するプリンタ装置に対して自動転送する過程を含む構成とすることができる。これにより、カラー画像を含む原稿画像のコピー処理をする場合においても、高速かつ効率的なコピー機能を実現できる。
【００１０】
また、請求項４に示すとおり、プリンタ装置は、両面記録機能を有し、第２転送過程は、情報処理装置が、スキャナ装置から転送された画像データを両面記録機能を有するプリンタ装置に対して自動転送する過程を含む構成とすることができる。これにより、多数頁の原稿画像の両面コピー処理を実現することで、より高速かつ効率的なコピー機能を実現できる。
【００１１】
また、請求項５に示すとおり、情報処理装置の予め保持された出力設定は、所定の頁数の画像データを１頁分の画像データとして集約して集約画像データを生成する処理に関するものであり、第２転送過程は、情報処理装置が、スキャナ装置から転送された画像データから集約画像データを生成し、その集約画像データをプリンタ装置に対して自動転送する過程を含む構成とすることができる。これにより、多数頁の原稿画像の集約コピー処理を実現することで、より高速かつ効率的なコピー機能を実現できる。
【００１２】
更に、本発明によるリモートコピー処理制御プログラムは、請求項６に示すとおり、請求項２から５の何れかに記載のリモートコピー処理方法を実現するために情報処理装置に格納される制御プログラム（２６）であって、情報処理装置において、スキャナ装置から転送される画像データの自動転送先となるプリンタ装置の出力動作を設定可能とする構成とする。
【発明の効果】
【００１３】
本発明によれば、ネットワークに接続されたスキャナ、プリンタ及びＰＣ等のデバイスを使用して大量の原稿のコピー処理を行う場合でも、読み取り動作と並行して自動的にコピー処理を実行するので、効率の良いコピー機能を実現することができる。
【００１４】
また、多数頁の原稿のコピー処理を行う場合に、両面コピー機能や集約コピー機能によってより効率の良いコピー機能を実現することができる。
【発明を実施するための最良の形態】
【００１５】
以下に添付の図面を参照して本発明の構成を詳細に説明する。
【００１６】
図１は、本発明によるリモートコピー処理方法を適用するスキャナ装置、クライアントＰＣ（Personal Computer）及びプリンタ装置を含むネットワークの構成の一例を示すブロック図である。このネットワーク（ＬＡＮ）１には、スキャナ装置２、クライアントＰＣ（情報処理装置）３、モノクロＭＦＰ（Multi Function Peripherals）４、カラーＭＦＰ５、モノクロプリンタ装置６及びカラープリンタ装置７が接続されている。これらの各機器２−７は、所定の通信プロトコル（例えば、ＴＣＰ／ＩＰ（Transmission Control Protocol／Internet Protocol））に従って相互に通信可能である。ここで、リモートコピー処理を行う場合、スキャナ装置２は、直接或いはクライアントＰＣを介して、原稿画像を読み取った画像データをその処理内容の指示とともに所定の印刷機能を有する装置に対して転送することができる。
【００１７】
図２は、図１に示したスキャナ装置、クライアントＰＣ、モノクロプリンタ装置及びカラープリンタ装置の構成の概略を示すブロック図である。スキャナ装置２は、読取部（読取手段）１０、記憶部（記憶手段）１２、画像処理部（画像処理手段）１４、ネットワーク制御部１６、装置制御部（制御手段）１８及びパネル操作部（操作手段）２０を備え、これらの主要各部は、システムバス２２を介して相互に接続されている。
【００１８】
ここで、読取部１０は、原稿台にセットされた原稿の種類（カラー／モノクロの別）、サイズ、ページ数等を認識して順次画像データを光学的に読み取る。
【００１９】
記憶部１２は、フラッシュメモリやハードディスク等のメモリデバイスからなり、読取部１０が読み取った画像データを一旦格納すると共に、転送前の処理（集約や圧縮等）がなされた後の画像データを格納する。
【００２０】
画像処理部１４は、記憶部１２に格納された画像データの種々の画像処理を行う。例えば、記憶部１２に格納された所定の頁数の画像データを１頁分の画像データとして集約して集約画像データを順次生成し、それらの画像データを圧縮処理することができる。その集約処理では、所定の頁数（例えば、２頁）の画像を縮小及び合成して１頁に収める（例えば、２頁分の画像を縮小して並列に配置する）処理が行われるが、場合によっては、画像の縮小を行わずに合成のみを行って、拡大されたサイズの１頁分の集約画像データを生成することも可能である。
【００２１】
ネットワーク制御部１６は、ネットワーク２を介して接続された他の機器との間での画像データ、各種コマンド及び通信制御信号等の送受信を制御する。
【００２２】
装置制御部１８は、上記各部の動作を統括制御して各動作を実行する中央処理装置である。
【００２３】
パネル操作部２０は、オペレータによる各種命令及び動作設定を行うためのものであり、各種操作キー（例えば、テンキーやスタートボタン等）を備えるとともに、各種情報を表示するディスプレイ（例えば、液晶ディスプレイ）を備えている。
【００２４】
また、クライアントＰＣ３には、スキャナ装置２から受信した画像データを管理し、種々のデータ処理や画像表示等を実行可能なドキュメントファイルシステム２４と、モノクロプリンタ装置６及びカラープリンタ装置７等の出力動作をクライアントＰＣ３において設定可能とし、その出力動作に必要な情報をクライアントＰＣ３のオペレーションシステムに提供するプリンタドライバ（リモートコピー処理制御プログラム）２６とが格納されている。
【００２５】
更に、モノクロプリンタ装置６及びカラープリンタ装置７は、スキャナ装置２から直接或いはクライアントＰＣを介して受信した画像データをモノクロまたはカラーでそれぞれ印刷することが可能である。
【００２６】
ここで、上記構成の機器を用いてリモートコピー処理を行う場合、まず、スキャナ装置２において、原稿トレイにセットされた原稿画像を読取部１０で読み取って画像データ（ビット単位）が生成され、その画像データが記憶部１２に送られ格納される。次に、その格納された画像データは、画像処理部１４によって所定の画像処理（例えば、集約処理）がなされ、その画像データは頁単位で圧縮処理（例えば、モノクロ画像をJBIG(Joint Bi-level Image experts Group)形式、カラー画像をJPEG(Joint Photographic coding Experts Group)形式の画像フォーマットに変換）される。装置制御部１８は、読取部１０による原稿画像の全頁の読み取り動作の完了を待つことなく、圧縮された画像データをネットワーク制御部１６によって転送先となるクライアントＰＣ３に転送する。そこで、クライアントＰＣ３において、プリンタドライバ２６が、予め定めた出力設定に従って、スキャナ装置２から転送された画像データをモノクロプリンタ装置６またはカラープリンタ装置７に対して自動転送する。更に、クライアントＰＣ３から転送された画像データは、モノクロプリンタ装置６またはカラープリンタ装置７において印刷が実行される。
【００２７】
尚、クライアントＰＣ３を介さずにスキャナ装置２から画像データをプリンタ装置６、７に直接転送して印刷を行うことで、上記と同様のリモートコピー処理を実行することも可能である。また、モノクロプリンタ装置６及びカラープリンタ装置７に限らず、モノクロＭＦＰ４及びカラーＭＦＰ５が有する印刷機能を用いて上記と同様のコピー処理が可能である。
【００２８】
図３は、本発明のリモートコピー処理方法によるコピー処理のタイミングを示す模式図である。ここでは、３頁の同一サイズの原稿画像を本発明による（ａ）頁単位転送、（ｂ）両面転送及び（ｃ）集約（Ｎｉｎ１）転送並びに（ｄ）従来システムの転送の各方式によってコピー処理した場合を示している。
【００２９】
図において、読取処理ブロック（図中、「１頁読取」等）は、スキャナ装置２における原稿画像の読取処理であり、画像の読取開始から記憶部１２への格納までのタイミングを示している。また、転送処理ブロック（図中、「１頁転送」等）は、読み取られた画像データのクライアントＰＣ３への転送処理及びクライアントＰＣ３からプリンタ装置６、７への自動転送処理であり、クライアントＰＣへの転送開始からプリンタ装置への自動転送完了まで（クライアントＰＣにおける画像データの集約処理及び圧縮処理を含む）のタイミングを示している。更に、印刷処理ブロック（図中、「１頁印刷」等）は、プリンタ装置６、７における印刷処理であり、クライアントＰＣからの画像データの受信から印刷処理の完了までのタイミングを示している。横軸は経過時間を表しており、各処理のブロックの長さがそれぞれの処理時間に相当する。
【００３０】
尚、各処理時間は、実際の経過時間を厳密に表すものではなく、説明の便宜上簡略化したものである。例えば、原稿画像１頁の読取時間、原稿画像１頁分の画像データの転送時間及び原画像１頁の印刷時間を全て同一の処理時間ｔとしてあるが、実際には、これら各処理時間は異なるのが通常である。また、読取時間は、原稿のカラー／モノクロの別等により各頁毎に異なる場合があり、更に、転送時間及び印刷時間は、圧縮した画像データの容量やネットワークの状態等により各頁毎に異なる場合がある。
【００３１】
ここで、（ｄ）従来システムの転送方式では、スキャナ装置２において第１頁から第３頁まで１頁づつ原稿画像が読み取られて全ての読取が完了した後、クライアントＰＣ３に対する第１頁の画像データの転送が開始され、続いて、クライアントＰＣ３からプリンタ装置６、７に自動転送が行われる。これらの転送は、全ての頁の転送が終了するまで順次実行される。全ての頁の転送が完了すると、予め定められた出力設定に従って、プリンタ装置６、７において順次画像データの記録処理がなされる。従って、ここでのコピー処理の総経過時間は９×ｔ時間となる。
【００３２】
本発明のリモートコピー処理方法による（ａ）頁単位転送では、スキャナ装置２において原稿画像の第１頁が読み取られた後、第２頁の読み取り動作と並行してクライアントＰＣ３に対する第１頁の画像データの転送が開始され、クライアントＰＣ３からプリンタ装置６、７に自動転送が行われる。更に、原稿画像の第３頁の読み取り動作と並行してクライアントＰＣ３に対する第２頁の画像データの転送が開始され、クライアントＰＣ３からプリンタ装置６、７に自動転送が行われる。続いて、クライアントＰＣ３に対する第３頁の画像データの転送が開始され、クライアントＰＣ３からプリンタ装置６、７に自動転送が行われる。
【００３３】
その一方で、原稿画像の第２頁の読み取り動作及び第１頁の転送動作と並行して、プリンタ装置６、７において第１頁の画像データの印刷が実行される。更に、原稿画像の第３頁の読み取り動作及び第２頁の転送動作と並行して、第２頁の画像データの印刷が実行され、続いて、第３頁の画像データが印刷される。最終的に、読取開始から転送完了までの総経過時間は５×ｔ時間となる。
【００３４】
本発明のリモートコピー処理方法による（ｂ）両面転送では、スキャナ装置２において原稿画像の第１頁が読み取られた後、第２頁の読み取り動作と並行してクライアントＰＣ３に対する第１頁の画像データの転送が開始され、クライアントＰＣ３からプリンタ装置６、７に自動転送が行われる。更に、原稿画像の第３頁の読み取り動作と並行してクライアントＰＣ３に対する第２頁の画像データの転送が開始され、クライアントＰＣ３からプリンタ装置６、７に自動転送が行われる。続いて、クライアントＰＣ３に対する第３頁の画像データの転送が開始され、クライアントＰＣ３からプリンタ装置６、７に自動転送が行われる。
【００３５】
その一方で、原稿画像の第３頁のクライアントＰＣ３に対する転送動作と並行して、第１頁及び第２頁の画像データの両面印刷が実行される。ここでの印刷処理は、クライアントＰＣ３からの両面印刷に関する出力設定に従って行われる。続いて、最終頁となる第３頁の画像データの印刷が実行されるが、この最終頁は奇数頁であるため、通常の１頁単位の印刷が実行される。
【００３６】
本発明のリモートコピー処理方法による（ｃ）集約転送では、スキャナ装置２において原稿画像の第１頁が読み取られた後、第２頁の読み取り動作と並行してクライアントＰＣ３に対する第１頁の画像データの転送が開始され、クライアントＰＣ３からプリンタ装置６、７に自動転送が行われる。更に、原稿画像の第３頁の読み取り動作と並行してクライアントＰＣ３に対する第２頁の画像データの転送が開始され、クライアントＰＣ３からプリンタ装置６、７に自動転送が行われる。続いて、クライアントＰＣ３に対する第３頁の画像データの転送が開始され、クライアントＰＣ３からプリンタ装置６、７に自動転送が行われる。
【００３７】
その一方で、原稿画像の第３頁のクライアントＰＣ３に対する転送動作と並行して、第１頁及び第２頁の画像データの集約印刷が実行される。ここでの印刷処理は、クライアントＰＣ３からの集約印刷に関する出力設定に従って、クライアントＰＣ３が生成した集約画像データを用いて行われる。続いて、最終頁となる第３頁の画像データの印刷が実行されるが、この最終頁は奇数頁であるため、第３頁のみを集約処理して生成した集約画像データを用いて行われる。
【００３８】
図４は、本発明のリモートコピー処理方法を実施する際のスキャナ装置の動作処理を示すフロー図である。まず、オペレータはパネル操作部２０の操作キーを操作して、コピー部数を入力して指定する（ＳＴ１０１）。次に、読取部１０に原稿をセットし、パネル操作部２０にて転送先（ここでは、クライアントＰＣ３）を選択して転送指示を行う（ＳＴ１０２）。そこで、装置制御部１８は、その転送指示を受け、読取部１０に読み取りを開始させる（ＳＴ１０３）。読取部１０によって読み取られた画像データは、記憶部１２に送られ格納開始される（ＳＴ１０４）。
【００３９】
次に、原稿画像の１頁分の読み取りが完了すると（ＳＴ１０５）、画像処理部１４によって、読み取られた画像データの圧縮処理が行われて、圧縮後の画像データが記憶部１２に格納される（ＳＴ１０６）。圧縮された画像データは、ネットワーク制御部１６によって、転送先として指定されたクライアントＰＣ３に転送される（ＳＴ１０７）。
【００４０】
上記ＳＴ１０５〜ＳＴ１０７の動作は、原稿の全頁の読取が完了するまで繰り返し実行される（ＳＴ１１８）。最終的に、ＳＴ１１８において原稿の全頁の読取が完了したと判断されると、スキャナ装置２の動作処理は終了する。
【００４１】
図５は、本発明のリモートコピー処理方法を実施する際のクライアントＰＣの動作処理を示すフロー図である。まず、オペレータは、プリンタ装置の出力動作を決定するために、クライアントＰＣ３のドキュメントファイルシステム２４にて予め出力設定を行う（ＳＴ２０１）。この出力設定に基づき適切なプリンタ装置が選択され、出力モードが決定される。この出力モードは、「通常（頁単位）モード」、「両面モード」または「Ｎｉｎ１モード」（図３の「頁単位転送」、「両面転送」及び「Ｎｉｎ１転送」をそれぞれ参照）の中から選択される。ここで、「Ｎｉｎ１モード」を選択した場合には、オペレータは、更に画像データの集約処理の頁数（Ｎ頁）を指定する。
【００４２】
そこで、出力モードとして「通常モード」が選択された場合は（ＳＴ２０２）、スキャナ装置２から原稿画像の１頁分の画像データの受信が完了すると（ＳＴ２０３）、その画像データをプリンタ装置に対して自動転送するとともに、プリンタドライバ２６からプリンタ装置に対して印刷指示が出される（ＳＴ２０４）。このＳＴ２０２〜ＳＴ２０４の動作は、原稿画像の全頁の印刷指示が終了するまで行われる（ＳＴ２０５）。最終的に、原稿画像の全頁の画像データの印刷指示が終了すると、クライアントＰＣ３の動作処理は終了する。
【００４３】
また、出力モードとして「Ｎｉｎ１モード」が選択された場合は（ＳＴ２０６）、原稿画像の全頁の画像データの受信が完了したか否かが判断され（ＳＴ２０７）、そこで画像データの受信が完了してない場合は、先に指定されたＮ頁分の画像データの受信が完了するまで受信動作が実行される（ＳＴ２０８）。Ｎ頁までの画像データの受信が完了すると、それらの画像データの集約処理が実行され、集約画像データが生成される（ＳＴ２０９）。そこで、その集約画像データをプリンタ装置に対して自動転送するとともに、プリンタドライバ２６からプリンタ装置に対して印刷指示が出される（ＳＴ２０４）。このＳＴ２０６〜ＳＴ２０９及びＳＴ２０４の動作は、原稿画像の全頁の印刷指示が終了するまで行われる（ＳＴ２０５）。
【００４４】
一方、ＳＴ２０７において、原稿画像の全頁の画像データの受信が完了したと判断された場合には、残りの頁数が先に指定されたＮ頁よりも少ないので、それらの画像データの集約処理が実行され、集約画像データが生成される（ＳＴ２０９）。そこで、その集約画像データをプリンタ装置に対して自動転送するとともに、プリンタドライバ２６からプリンタ装置に対して印刷指示が出される（ＳＴ２０４）。最終的に、原稿画像の全頁の画像データの印刷指示が終了すると、クライアントＰＣ３の動作処理は終了する。
【００４５】
更に、出力モードとして「両面モード」が選択された場合は（ＳＴ２１０）、原稿画像の全頁の画像データの受信が完了したか否かが判断され（ＳＴ２１１）、そこで画像データの受信が完了してない場合は、両面分の画像データの受信が完了するまで受信動作が実行される（ＳＴ２１２）。両面分の画像データの受信が完了すると、それらの画像データをプリンタ装置に対して自動転送するとともに、プリンタドライバ２６からプリンタ装置に対して印刷指示が出される（ＳＴ２０４）。このＳＴ２１０〜ＳＴ２１２及びＳＴ２０４の動作は、原稿画像の全頁の印刷指示が完了するまで行われる（ＳＴ２０５）。
【００４６】
一方、ＳＴ２１１において、原稿画像の全頁の受信動作が完了したと判断された場合には、残りの頁数が両面分に満たない１頁であるので、その画像データの受信が完了した後にプリンタ装置に対して自動転送するとともに、プリンタドライバ２６からプリンタ装置に対して印刷指示が出される（ＳＴ２０４）。最終的に、原稿画像の全頁の画像データの印刷指示が終了すると、クライアントＰＣ３の動作処理は終了する。
【００４７】
本発明を実施例に基づいて詳細に説明したが、これらの実施例はあくまでも例示であって本発明は実施例によって限定されるものではない。当業者であれば特許請求の範囲によって定められる本発明の技術的思想を逸脱することなく様々な変形若しくは変更が可能であることは言うまでもない。例えば、本発明によるリモートコピー処理方法は、図１に示した構成のネットワークに限らず種々のネットワークシステムに適用可能であり、ネットワークには、図１に示したものに限らず種々の機器が接続可能である。
【００４８】
また、本発明の実施に用いるスキャナ装置は、単体の装置に限らず、ファクシミリ機能、プリンタ機能及びコピー機能等を有する複合機の一部の機能として実現可能である。この場合、本発明の実施に用いるスキャナ装置が、例えば、モノクロプリンタ機能を備えた複合機を構成するものであっても、他のカラープリンタ装置に対するコピー処理を行うことができる。
【産業上の利用可能性】
【００４９】
本発明に係るリモートコピー処理方法及びリモートコピー処理制御プログラムは、ネットワークに接続されたスキャナ、プリンタ及びＰＣ等のデバイスを使用して大量の原稿のコピー処理を行う場合でも、読み取り動作と並行して自動的にコピー処理を実行するので、効率の良いコピー機能を実現することができるので、ネットワークスキャナ、プリンタ等のデバイスを制御してリモートコピー機能を実現するリモートコピー処理方法及びリモートコピー処理制御プログラムとして有用である。
【図面の簡単な説明】
【００５０】
【図１】本発明によるリモートコピー処理方法を適用するネットワークシステムの構成を示すブロック図
【図２】図１に示すスキャナ装置、クライアントＰＣ、モノクロプリンタ装置及びカラープリンタ装置の構成の概略を示すブロック図
【図３】本発明のリモートコピー処理方法によるコピー処理のタイミングを示す模式図
【図４】本発明の実施におけるスキャナ装置の動作処理を示すフロー図
【図５】本発明の実施におけるクライアントの動作処理を示すフロー図
【符号の説明】
【００５１】
１  ネットワーク（ＬＡＮ）
２  スキャナ装置
３  クライアントＰＣ（情報処理装置）
６  モノクロプリンタ装置
７  カラープリンタ装置
１０  読取部
１２  記憶部
１４  画像処理部
１６  ネットワーク制御部
１８  装置制御部
２０  パネル操作部
２４  ドキュメントファイルシステム
２６  プリンタドライバ
【図１】
2005184379.tif 000003
【図２】
2005184379.tif 000004
【図３】
2005184379.tif 000005
【図４】
2005184379.tif 000006
【図５】
2005184379.tif 000007